(57)【要約】  【課題】  記録媒体を読取装置に挿入してから、記録媒体に記録されているコンテンツデータを使用するまでの時間を短縮する記録媒体及び読取装置を提供する。  【解決手段】  記録媒体１は、コンテンツデータが記録された記録領域と、圧縮ファイル情報データが記録された記録領域と、圧縮ファイル情報データが記録されていることを示す識別子データが記録された記録領域と、ファイル情報データが記録された記録領域とを備えている。読取装置は、記録媒体に識別子データが記録されていると判定した場合に、記録媒体から圧縮ファイル情報データを読み取り（Ｓ４）、読み取った圧縮ファイル情報データを伸長してファイル情報データを生成し（Ｓ５）、生成したファイル情報データに基づいて、記録媒体に記録されているコンテンツデータを実行する（Ｓ８）。【選択図】      図３
2007073142.tif 000002
【特許請求の範囲】
【請求項１】
コンテンツデータが記録された記録領域と、
該コンテンツデータの使用に要するファイル情報データを圧縮した圧縮ファイル情報データが記録された記録領域と
を備えることを特徴とする記録媒体。
【請求項２】
圧縮ファイル情報データが記録されていることを示す識別子データが記録された記録領域を更に備えることを特徴とする請求項１に記載の記録媒体。
【請求項３】
ファイル情報データが記録された記録領域を更に備えることを特徴とする請求項１又は請求項２に記載の記録媒体。
【請求項４】
前記ファイル情報データは、ファイルシステムを含むことを特徴とする請求項１乃至請求項３のいずれかひとつに記載の記録媒体。
【請求項５】
前記ファイル情報データは、記録領域の使用状況を示すデータと、コンテンツデータの内容及び記録領域を示すデータとの少なくとも一方を含むことを特徴とする請求項１乃至請求項４のいずれかひとつに記載の記録媒体。
【請求項６】
円盤状をなすことを特徴とする請求項１乃至請求項５のいずれかひとつに記載の記録媒体。
【請求項７】
記録媒体に記録されているデータを読み取る読取装置において、
請求項１乃至請求項６のいずれかひとつに記載の記録媒体にアクセスする手段と、
該記録媒体から圧縮ファイル情報データを読み取る手段と、
読み取った圧縮ファイル情報データを伸長してファイル情報データを生成する手段と、
生成したファイル情報データに基づいて、前記記録媒体に記録されているコンテンツデータを使用する手段と
を備えることを特徴とする読取装置。
【請求項８】
記録媒体に記録されているデータを読み取る読取装置において、
請求項２に記載の記録媒体にアクセスする手段と、
該記録媒体に識別子データが記録されているか否かを判定する手段と、
識別子データが記録されていると判定した場合に、
前記記録媒体から圧縮ファイル情報データを読み取る手段と、
読み取った圧縮ファイル情報データを伸長してファイル情報データを生成する手段と、
生成したファイル情報データに基づいて、前記記録媒体に記録されているコンテンツデータを使用する手段と
を備えることを特徴とする読取装置。
【発明の詳細な説明】
【技術分野】
【０００１】
本発明は、記録媒体及び該記録媒体に記録されているデータを読み取る読取装置に関し、特に記録媒体に記録されているコンテンツデータの読み取り開始を高速化する記録媒体及び読取装置に関する。
【背景技術】
【０００２】
音楽、影像、コンピュータプログラム等の各種データを記録したＤＶＤ（Digital Versatile Disc：デジタル多目的ディスク）等の記録媒体及び該記録媒体に記録されているデータを読み取るＤＶＤプレイヤ等の読取装置が広く普及している。（例えば特許文献１参照）
【０００３】
図４は、記録媒体の記録領域のフォーマットイメージの例を概念的に示す説明図である。記録媒体の記録領域には、音楽、影像等のコンテンツを示すコンテンツデータ、記録媒体に関するハードウェア特性を規制するコントロールデータ（コントロールエリアに記録）、コンテンツデータの使用、例えば影像の再生に要するファイル情報データが記録されている。ファイル情報データとしては、記録しているデータ及びデータの記録位置の対応関係等の情報を示すファイルシステムデータ、記録領域の使用状況を示すＢＭＰデータ、コンテンツデータの内容及び記録領域を示すＩＮＦＯデータ等の各種データがある。
【０００４】
図５は、読取装置が記録媒体に記録されているデータを再生する手順の一例を示すフローチャートである。読取装置に記録媒体が挿入されると、読取装置は、記録媒体が挿入されたことを検出し（Ｓ１０１）、挿入された記録媒体のメディア種別を検出し（Ｓ１０２）、ファイルシステムデータを検出し（Ｓ１０３）、検出したファイルシステムデータを読み取り（Ｓ１０４）、読み取ったファイルシステムデータに基づいてＩＮＦＯデータ及びＢＭＰデータを読み取り（Ｓ１０５）、読み取ったＩＮＦＯデータに基づいて、コンテンツデータを使用するためのアプリケーションプログラムを起動し（Ｓ１０６）、起動したアプリケーションプログラムにより、ＢＭＰデータに基づいて読み取ったコンテンツデータを実行、例えば影像の再生を行う（Ｓ１０７）。
【特許文献１】特開平０６−２９５４４３号公報
【発明の開示】
【発明が解決しようとする課題】
【０００５】
しかしながらファイルシステムデータ、ＢＭＰデータ、ＩＮＦＯデータ等のファイル情報データの読み取り、特にファイルサイズが大きいファイルシステムデータの読み取りに時間がかかるため、記録媒体を挿入してからコンテンツデータを使用するまでに時間がかかるという問題がある。
【０００６】
本発明は斯かる事情に鑑みてなされたものであり、記録媒体にファイル情報データを圧縮した圧縮ファイル情報データを記録し、読取装置は、記録媒体にアクセスして圧縮ファイル情報データを読み取り、読み取った圧縮ファイル情報データを伸長して生成したファイル情報データに基づいてコンテンツデータを使用することにより、記録媒体を挿入してからコンテンツデータを使用するまでの時間を短縮することが可能な記録媒体及び該記録媒体に記録されているデータを読み取る読取装置の提供を目的とする。
【課題を解決するための手段】
【０００７】
第１発明に係る記録媒体は、コンテンツデータが記録された記録領域と、該コンテンツデータの使用に要するファイル情報データを圧縮した圧縮ファイル情報データが記録された記録領域とを備えることを特徴とする。
【０００８】
本発明では、ファイル情報データを圧縮することにより、ファイルサイズが小さくなるので、ファイル情報データとして用いられるデータの読取時間を短縮することが可能である。
【０００９】
第２発明に係る記録媒体は、第１発明において、圧縮ファイル情報データが記録されていることを示す識別子データが記録された記録領域を更に備えることを特徴とする。
【００１０】
本発明では、読取装置が、データを読み取る場合に、識別子データが記録されているか否かを判定し、識別子データが記録されていると判定したときに、圧縮ファイル情報データが記録されていると認識することが可能である。
【００１１】
第３発明に係る記録媒体は、第１発明又は第２発明において、ファイル情報データが記録された記録領域を更に備えることを特徴とする。
【００１２】
本発明では、圧縮ファイル情報データだけでなく、圧縮されていないファイル情報データをも記録することにより、圧縮ファイル情報データの読み取りに対応していない読取装置に対しても対応することが可能である。
【００１３】
第４発明に係る記録媒体は、第１発明乃至第３発明のいずれかひとつにおいて、前記ファイル情報データは、ファイルシステムを含むことを特徴とする。
【００１４】
本発明では、ファイルサイズが大きいファイルシステムを圧縮することにより、読取時間を短縮することが可能である。
【００１５】
第５発明に係る記録媒体は、第１発明乃至第４発明のいずれかひとつにおいて、前記ファイル情報データは、記録領域の使用状況を示すデータと、コンテンツデータの内容及び記録領域を示すデータとの少なくとも一方を含むことを特徴とする。
【００１６】
本発明では、記録領域の使用状況を示すＢＭＰデータと、コンテンツデータの内容及び記録領域を示すＩＮＦＯデータを圧縮することにより、読取時間を短縮することが可能である。
【００１７】
第６発明に係る記録媒体は、第１発明乃至第５発明のいずれかひとつにおいて、円盤状をなすことを特徴とする。
【００１８】
本発明では、ＤＶＤ、ＣＤ、ブルーレイディスク等の円盤状のメディアに適用することで、読取装置に記録媒体を挿入してからコンテンツデータを使用するまでの時間を短縮することが可能である。
【００１９】
第７発明に係る読取装置は、記録媒体に記録されているデータを読み取る読取装置において、第１発明乃至第６発明のいずれかひとつに記載の記録媒体にアクセスする手段と、該記録媒体から圧縮ファイル情報データを読み取る手段と、読み取った圧縮ファイル情報データを伸長してファイル情報データを生成する手段と、生成したファイル情報データに基づいて、前記記録媒体に記録されているコンテンツデータを使用する手段とを備えることを特徴とする。
【００２０】
本発明では、コンテンツデータを使用するまでに読み取るべきファイル情報データを圧縮することにより、ファイルサイズが小さくなるので、ファイル情報データとして用いられるデータの読取時間を短縮することができ、これにより記録媒体を挿入してからコンテンツデータを使用するまでの時間を短縮することが可能である。
【００２１】
第８発明に係る読取装置は、記録媒体に記録されているデータを読み取る読取装置において、第２発明に記載の記録媒体にアクセスする手段と、該記録媒体に識別子データが記録されているか否かを判定する手段と、識別子データが記録されていると判定した場合に、前記記録媒体から圧縮ファイル情報データを読み取る手段と、読み取った圧縮ファイル情報データを伸長してファイル情報データを生成する手段と、生成したファイル情報データに基づいて、前記記録媒体に記録されているコンテンツデータを使用する手段とを特徴とする。
【００２２】
本発明では、コンテンツデータを使用するまでに読み取るべきファイル情報データを圧縮することにより、ファイルサイズが小さくなるので、ファイル情報データとして用いられるデータの読取時間を短縮することができ、これにより記録媒体を挿入してからコンテンツデータを使用するまでの時間を短縮することが可能である。しかも識別子データにより、ファイル情報データが圧縮されて記録されているか否かを判定することが可能である。
【発明の効果】
【００２３】
本発明の記録媒体は、コンテンツデータが記録された記録領域と、ファイルシステム、記録領域の使用状況を示すＢＭＰデータ、並びにコンテンツデータの内容及び記録領域を示すＩＮＦＯデータを含むファイル情報データを圧縮した圧縮ファイル情報データが記録された記録領域と、圧縮ファイル情報データが記録されていることを示す識別子データが記録された記録領域と、ファイル情報データが記録された記録領域とを備えている。
【００２４】
また本発明の読取装置は、記録媒体にアクセスし、記録媒体に識別子データが記録されているか否かを判定し、識別子データが記録されていると判定した場合に、記録媒体から圧縮ファイル情報データを読み取り、読み取った圧縮ファイル情報データを伸長してファイル情報データを生成し、生成したファイル情報データに基づいて、記録媒体に記録されているデータを使用する。
【００２５】
この構成により、本発明では、ファイルサイズが大きく読み取りに時間を要するファイル情報データが圧縮されているため、読取時間を短縮することができるので、記録媒体を挿入してからコンテンツデータを使用するまでの時間を短縮することが可能である等、優れた効果を奏する。
【００２６】
また本発明の読取装置は、識別子データにより、ファイル情報データが圧縮されて記録されているか否かを判定することが可能である等、優れた効果を奏する。
【００２７】
さらに本発明の記録媒体は、圧縮ファイル情報データだけでなく、圧縮されていないファイル情報データをも記録することにより、圧縮ファイル情報データの読み取りに対応していない読取装置に対しても対応することが可能である等、優れた効果を奏する。
【発明を実施するための最良の形態】
【００２８】
以下、本発明をその実施の形態を示す図面に基づいて詳述する。
【００２９】
図１は、本発明の記録媒体及び読取装置の構成を示すブロック図である。図１中１は、ＤＶＤ、ＣＤ、ブルーレイディスク等の円盤状の記録媒体であり、記録媒体１は、円周方向にデータを記録する記録領域を有している。そして図１中２は、記録媒体１に記録されているデータを読み取るＤＶＤプレイヤ、ＣＤプレイヤ、ブルーレイディスクプレイヤ、パーソナルコンピュータ等の読取装置である。
【００３０】
読取装置２は、装置全体を制御するＣＰＵ等の制御部２０、記録媒体１に記録されているデータを読み取るディスクドライブ等の補助記憶部２１、各種プログラム及びデータを記録する不揮発性のＲＯＭ、ハードディスク等の記録部２２、及び一時的に発生するデータを記憶する揮発性のＲＡＭ等の記憶部２３を備えている。さらに読取装置２は、ユーザの操作を受け付ける操作釦等の操作部２４と、図示しない遠隔操作装置から電磁波として送信される操作信号を受信する受信部２５と、装置の動作状況を表示する表示部２６と、記録媒体１から読み取ったコンテンツデータに基づく実行結果を、図示しない表示装置へ出力する出力部２７とを備えている。
【００３１】
補助記憶部２１は、データの読取処理を制御する読取制御部２１ａと、記録媒体１を載置するディスクトレイを有する挿入部２１ｂと、挿入部２１ｂに挿入された記録媒体１にアクセスしてデータを読み取るヘッドを有するアクセス部２１ｃと、読み取ったデータを読取装置２にて処理可能な信号に変換する変換部２１ｄとを備えている。
【００３２】
図２は、本発明の記録媒体１の記録領域のフォーマットイメージの例を概念的に示す説明図である。本発明の記録媒体１は、記録媒体１に関するハードウェア特性を規制するコントロールデータを記録したコントロールエリア１０と、音楽、影像等のコンテンツを示すコンテンツデータ（タイトル）が記録された第１記録領域１１と、コンテンツデータの使用に要するファイル情報データを圧縮した圧縮ファイル情報データが記録された第２記録領域１２と、圧縮ファイル情報データが記録されていることを示すキーワード等の識別子データが記録された第３記録領域１３と、ファイル情報データが記録された第４記録領域１４とを備えている。なお記録媒体１の各記録領域は固定されている訳ではなく、記録する各データのデータ長に応じて適宜記録領域の位置及びサイズを設定することが可能である。
【００３３】
第４記録領域１４に記録されたファイル情報データには、ＵＤＦ等の規格に基づき記録しているデータ及びデータの記録位置の対応関係等の情報を示すファイルシステムデータ、記録領域の使用状況を示すＢＭＰデータ、並びにコンテンツデータの内容及びその記録領域を示すＩＮＦＯデータが含まれている。
【００３４】
また第２記録領域１２に記録された圧縮ファイル情報データは、第４記録領域に記録されたファイル情報データと同じ内容のファイル情報データを圧縮したデータである。従って第２記録領域１２に記録された圧縮ファイル情報データを伸長することにより、第４記録領域１４に記録されているファイル情報データと同じファイルシステムデータ、ＢＭＰデータ及びＩＮＦＯデータを含むファイル情報データが生成される。
【００３５】
次に本発明の読取装置２の処理について説明する。図３は、本発明の読取装置２の処理を示すフローチャートである。読取装置２に記録媒体１が挿入された場合、又は記録媒体１が挿入された状態で操作部２４から操作を受け付けた場合或いは受信部２４により操作信号を受信した場合、読取装置２は、挿入された記録媒体１を検出し（ステップＳ１）、アクセス部２１ｃにより、挿入された記録媒体１のメディア種別を検出し（ステップＳ２）、記録媒体１に識別子データが記録されているか否かを判定する（ステップＳ３）。
【００３６】
ステップＳ３において、記録媒体１に識別子データが記録されていると判定した場合、挿入された記録媒体１が本発明の記録媒体１であると認識し、読取装置２は、記録媒体１の第２記録領域１２から圧縮ファイル情報データを読み取り（ステップＳ４）、読み取った圧縮ファイル情報データを伸長して、ファイルシステムデータ、ＢＭＰデータ及びＩＮＦＯデータを含むファイル情報データを生成する（ステップＳ５）。
【００３７】
そして読取装置２は、生成したファイル情報データに含まれるファイルシステムデータ、ＩＮＦＯデータ及びＢＭＰデータを記録部２２又は記憶部２３に読み込み（ステップＳ６）、読み込んだファイルシステムデータ、ＢＭＰデータ及びＩＮＦＯデータに基づいて、コンテンツデータを使用するためのアプリケーションプログラムを起動し（ステップＳ７）、起動したアプリケーションプログラムによりコンテンツデータを実行、例えば影像の再生を行う（ステップＳ８）。圧縮ファイル情報データを伸長してファイル情報データを生成する時間は、記録媒体１からデータを読み取る時間より短いため、本発明の読取装置２では、ファイル情報データを記録媒体１から読み取る従来の装置より、記録媒体１を挿入してからコンテンツデータを実行するまでの時間を短縮することができる。
【００３８】
なおステップＳ３において、記録媒体１に識別子データが記録されていないと判定した場合、挿入された記録媒体１が本発明の記録媒体１ではないと認識し、記録媒体１に記録されているファイル情報データを読み取る従来の装置と同様の処理を行う。
【００３９】
また本発明の記録媒体１を従来の装置に挿入した場合、従来の装置は、記録媒体１の第４記録領域に記録されたファイル情報データを読み取る従来と同様の処理を行う。
【００４０】
前記実施の形態では、円盤状の記録媒体に適用する形態を示したが、本発明はこれに限らず、メモリーカード等のフラッシュメモリを用いた記録媒体に適用する形態等、様々な形態に展開することが可能である。
【００４１】
また前記実施の形態では、ファイルシステムデータ、ＢＭＰデータ及びＩＮＦＯデータを圧縮ファイル情報データとする形態を示したが、本発明はこれに限らず、ファイルサイズが大きいファイルシステムデータのみを圧縮する様にしても良い。
【図面の簡単な説明】
【００４２】
【図１】本発明の記録媒体及び読取装置の構成を示すブロック図である。
【図２】本発明の記録媒体の記録領域のフォーマットイメージの例を概念的に示す説明図である。
【図３】本発明の読取装置の処理を示すフローチャートである。
【図４】記録媒体の記録領域のフォーマットイメージの例を概念的に示す説明図である。
【図５】読取装置が記録媒体に記録されているデータを再生する手順の一例を示すフローチャートである。
【符号の説明】
【００４３】
１  記録媒体
１０  コントロールエリア
１１  第１記録領域
１２  第２記録領域
１３  第３記録領域
１４  第４記録領域
２  読取装置
【図１】
2007073142.tif 000003
【図２】
2007073142.tif 000004
【図３】
2007073142.tif 000005
【図４】
2007073142.tif 000006
【図５】
2007073142.tif 000007